(57)【特許請求の範囲】
【請求項１】
圧力生成装置と、患者インタフェース装置に結合される電気管アセンブリと、を有する呼吸療法システムのためのアダプタ装置であって、前記圧力生成装置は、前記電気管アセンブリが第１の筐体に接続されることを可能にするため、前記電気管アセンブリのタブ部材と係合するように構成された第１のスロット部材を持つ前記第１の筐体を持つ出力ポートを含み、前記アダプタ装置は、
前記電気管アセンブリに滑らかに結合される第１のポート部材を有する第１の端部と、
前記圧力生成装置によって生成される呼吸ガスのフローを受ける第２のポート部材を有する第２の端部と、
前記電気管アセンブリと前記圧力生成装置との間に電気的な接続を与えるために、前記電気管アセンブリに電気的に結合される第１の電気コネクタと、前記圧力生成装置に電気的に結合される第２の電気コネクタとを有するワイヤアセンブリと、
前記タブ部材の構成とマッチする構成を持つ第２のスロット部材であって、前記電気管アセンブリが前記アダプタ装置に接続されることを可能にするため、前記電気管アセンブリの前記タブ部材と係合するように構成された前記第２のスロット部材と、
を有し、
前記アダプタ装置は、前記第１のポート部材を通じて前記呼吸ガスのフローを前記電気管アセンブリに運ぶ、及び
前記アダプタ装置はさらに、インラインアクセサリ装置を有し、
前記インラインアクセサリ装置は、前記インラインアクセサリ装置の第１の端部において、前記第２のポート部材に滑らかに結合されるポート部材、及び前記インラインアクセサリ装置の第２の端部において、前記圧力生成装置の前記出力ポートに滑らかに結合されるポート部材を有し、前記ワイヤアセンブリは、前記インラインアセンブリ装置の長さ方向に沿って延在する、並びに
前記インラインアクセサリ装置は、酸素富化アダプタ、圧力バルブ又はバクテリアフィルタを有する、
アダプタ装置。
【請求項２】
コネクタ筐体を更に有し、前記第１の電気コネクタが、前記コネクタ筐体内に受けられ、保持され、前記第１のポート部材、前記第２のポート部材、及び、前記コネクタ筐体が、流体連通部材の一部として供給され、前記流体連通部材が、前記コネクタ筐体を覆うとともに、前記ワイヤアセンブリの少なくとも一部を受けて保持する筐体を含む、請求項１記載のアダプタ装置。
【請求項３】
前記第１のポート部材が、内部チャンバを持つ結合部材の一部として与えられ、前記結合部材が、追加的な気体が前記内部チャンバへ導入されるように前記内部チャンバへのアクセスを与える気体注入ポートを有する、請求項１記載のアダプタ装置。
【請求項４】
前記第２の端部が、前記結合部材に結合され、前記第２の電気コネクタが、前記圧力生成装置の出力ポートに電気的に結合され、前記第２のポート部材が、前記圧力生成装置の前記出力ポートに滑らかに結合される、請求項３記載のアダプタ装置。
【請求項５】
前記第２の端部が、逆流防止圧力バルブを含む、請求項３記載のアダプタ装置。
【請求項６】
呼吸ガスのフローを生成する圧力生成装置であって、電気コネクタ及び第１のスロット部材を持つ第１の筐体を持つ出力ポートを含む前記圧力生成装置と、
患者インタフェース装置と、
遠位端において前記患者インタフェース装置に結合される電気管アセンブリであって、前記電気管アセンブリは、その近位端において供給された第２の筐体を持ち、前記第２の筐体は、電気コネクタ及びタブ部材を持ち、前記電気管アセンブリの前記電気コネクタは、前記圧力生成装置から前記電気管アセンブリに電力信号及び／又は制御信号が供給されることを可能にするため、前記圧力生成装置の前記電気コネクタに結合されるように構成され、前記タブ部材は、前記第２の筐体が前記第１の筐体に接続されることを可能にするため、前記第１のスロット部材と係合するように構成される、前記電気管アセンブリと、
前記圧力生成装置と前記電気管アセンブリとの間に設けられるアダプタ装置と、を有し、
前記アダプタ装置が、
前記電気管アセンブリに滑らかに結合される第１のポート部材を有する第１の端部と、
前記呼吸ガスのフローを受ける第２のポート部材を有する第２の端部と、
前記電気管アセンブリと前記圧力生成装置との間に電気的な接続を与えるために、前記電気管アセンブリの前記電気コネクタに電気的に結合される第１の電気コネクタと、前記圧力生成装置の前記電気コネクタに電気的に結合される第２の電気コネクタとを有するワイヤアセンブリと、
前記タブ部材の構成とマッチする構成を持つ第２のスロット部材であって、前記第２の筐体を前記アダプタ装置に接続するため、前記電気管アセンブリの前記タブ部材と係合する前記第２のスロット部材と、
を有し、
前記アダプタ装置は、前記第１のポート部材を通じて、前記電気管アセンブリに前記呼吸ガスのフローを運ぶ、及び
前記アダプタ装置はさらに、インラインアクセサリ装置を有し、
前記インラインアクセサリ装置は、前記インラインアクセサリ装置の第１の端部において、前記第２のポート部材に滑らかに結合されるポート部材、及び前記インラインアクセサリ装置の第２の端部において、前記圧力生成装置の前記出力ポートに滑らかに結合されるポート部材を有し、前記ワイヤアセンブリは、前記インラインアセンブリ装置の長さ方向に沿って延在する、並びに
前記インラインアクセサリ装置は、酸素富化アダプタ、圧力バルブ又はバクテリアフィルタを有する、
呼吸療法システム。
【請求項７】
前記アダプタ装置が、コネクタ筐体を更に有し、前記第１の電気コネクタが、前記コネクタ筐体内に受けられ、保持され、前記第１のポート部材、前記第２のポート部材、及び、前記コネクタ筐体が、流体連通部材の一部として供給され、前記流体連通部材が、前記コネクタ筐体を覆うとともに、前記ワイヤアセンブリの少なくとも一部を受けて保持する筐体を含む、請求項６記載の呼吸療法システム。
【請求項８】
前記第１のポート部材が、内部チャンバを持つ結合部材の一部として与えられ、前記結合部材が、追加的な気体が前記内部チャンバへ導入されるように前記内部チャンバへのアクセスを与える気体注入ポートを有する、請求項６記載の呼吸療法システム。
【請求項９】
前記アダプタ装置の前記第２の端部が、前記結合部材に結合され、前記第２のポート部材が、前記圧力生成装置の前記出力ポートに滑らかに結合される、請求項８記載の呼吸療法システム。
【請求項１０】
前記第２の端部が、逆流防止圧力バルブを含む、請求項９記載の呼吸療法システム。
【発明の詳細な説明】
【技術分野】
【０００１】
本発明は、陽性気道圧（ＰＡＰ：Positive Airway Pressure）療法を用いて、睡眠呼吸障害などの疾患を治療するためのシステムに関し、特に、電気製品（例えば、加熱管）と圧支持装置との間の電気的な接続の形成をも可能にする圧支持装置のためのインラインアダプタに関する。
【背景技術】
【０００２】
患者の気道に対して非侵襲的に、即ち、患者に挿管せずに、又は、患者の食道の中に気管チューブを外科的に挿入せずに、呼吸ガスのフローを運ぶ必要がある又は望ましい多くの状況がある。例えば、非侵襲的換気として知られている技術を用いて患者の換気を行なうことが知られている。また、特定の内科的疾患を治療するために、陽性気道圧（ＰＡＰ：Positive Airway Pressure）療法を用いることが知られており、ＯＳＡが代表的である。既知のＰＡＰ療法は、患者の気道を開けた状態で支えるために、一定の陽圧が、患者の気道に供給される持続的気道陽圧法（ＣＰＡＰ：Continuous Positive Air Pressure）、及び、患者の気道に供給される圧力が患者の呼吸サイクルにより変動する様々な気道圧法を含む。上記療法は、一般的に、患者が寝ている間、夜に、患者に対して供給される。
【０００３】
上記の非侵襲的換気及び圧支持療法は、患者の顔の上に柔らかく、柔軟な密封クッションを有するマスクコンポーネントを含む患者インタフェース装置の配置を含む。マスクコンポーネントは、患者の鼻を覆う鼻マスク、患者の鼻及び口を覆う鼻／口マスク、又は、患者の顔を覆うフルフェイスマスクであってもよいが、これらに限定されない。かかる患者インタフェース装置は、額支持部、頬パッド、及び、顎パッドなどの他の患者接触コンポーネントを採用してもよい。患者インタフェース装置は、気体導管又はコンジットに接続され、また、圧支持装置を患者の気道と結合させ、この結果、呼吸ガスのフローが、圧力／フロー生成装置から患者の気道に運ばれることができる。かかる装置を、患者の頭の上／周囲にフィットするように構成された１又は複数のストラップを有するヘッドギアにより、装着者の顔上に維持することが知られている。
【発明の概要】
【発明が解決しようとする課題】
【０００４】
非侵襲的換気及び／又は圧支持療法装置を用いる幾らかの患者は、装置のフロー経路にインラインアクセサリを加える必要がある。かかるアクセサリは、例えば、酸素富化アダプタ、圧力バルブ、又は、バクテリアフィルタを含んでいてもよいが、これらに限定されない。さらに、多くの患者が、フロー経路において加熱管を使用している。かかる加熱管は、管のカフ上のコネクタと、ベンチレータ又は圧支持装置の出力ポートの近傍／上のコネクタとの間に電気的な接続を必要とする。しかしながら、かかる電気的接続が必要であることは、インラインアクセサリの使用を困難にする。
【０００５】
従来技術では、酸素補給の特定の背景において、酸素補給を同時に受ける間、加熱管機能を維持するために、酸素は、患者回路のマスク側において、マスクへ直接的に、又は、マスクと主導管との間の富化アダプタへ、患者に導入されなければならなかった。このことは、マスクの容量の増加を招き、及び／又は、顔に接続される追加的な管を患者に強いる。このことは、治療の際の快適性を低減させ、ひいては、治療の順守を妨げる。
【課題を解決するための手段】
【０００６】
ある実施形態では、圧力生成装置と加熱管アセンブリなどの電気管アセンブリとを有する呼吸療法システムのためのアダプタ装置が、患者インタフェース装置に結合される。当該アダプタ装置は、電気管アセンブリに滑らかに結合される第１のポート部材を有する第１の端部と、圧力生成装置によって生成される呼吸ガスのフローを受ける第２のポート部材を有する第２の端部と、電気管アセンブリと圧力生成装置との間に電気的な接続を与えるために、電気管アセンブリに電気的に結合される第１の電気コネクタと、圧力生成装置に電気的に結合される第２の電気コネクタとを有するワイヤアセンブリと、を有し、アダプタ装置は、第１のポート部材を通じて呼吸ガスのフローを電気管アセンブリに運ぶ。
【０００７】
他の実施形態では、呼吸療法システムは、呼吸ガスのフローを生成する圧力生成装置、患者インタフェース装置、患者インタフェース装置に結合される電気管アセンブリ、及び、圧力生成装置と電気管アセンブリとの間に設けられる上記のようなアダプタ装置を含むように与えられる。
【０００８】
構成に関係のある要素の機能及び動作の方法、製造の経済性及び部品の組み合わせだけでなく、本発明のこれら及び他の目的、特徴及び特性が、添付の図面を参照して、以下の説明及び添付の特許請求の範囲を考慮して、より明らかになるだろう。これら全ては、この明細書の一部を形成し、類似の参照符号は様々な図における対応する部品を示す。しかしながら、図面は例示目的であって、本発明の限定ではないことが、明確に理解されるべきである。
【図面の簡単な説明】
【０００９】
【図１】図１は、本発明の一実施例に従った、患者に呼吸療法を供給するように構成されたシステムの概略図である。
【図２】図２は、本発明の一実施例に従った、図１のシステムの一部を形成している圧力生成装置の等角図である。
【図３】図３は、本発明の一実施例に従った、図１のシステムの一部を形成している加熱管アセンブリの等角図である。
【図４】図４は、本発明の一実施例に従った、図１のシステムの一部を形成しているインラインアクセサリアダプタの等角図である。
【図５】図５は、本発明の一実施例に従った、図４のインラインアクセサリアダプタの滑らかな結合部材の等角図である。
【図６】図６は、本発明の一実施例に従った、図５の滑らかな結合部材の中央結合部材の等角図である。
【図７】図７は、本発明の一実施例に従った、図４のインラインアクセサリアダプタのジャンパワイヤハーネスアセンブリの等角図である。
【図８】図８は、本発明の代替的な一実施例に従った、図１のシステムにおいて用いられ得る富化アダプタの等角図である。
【図９】図９は、一実施例に従った、図８の富化アダプタの一部を形成している中央アダプタアセンブリの前面側等角図である。
【図１０】図１０は、一実施例に従った、図８の富化アダプタの一部を形成している中央アダプタアセンブリの背面側等角図である。
【発明を実施するための形態】
【００１０】
本稿での用法では、単数形は、文脈がそうでないことを明確に指示するのでない限り、複数の言及を含む。本稿での用法では、二つ以上の部分または構成要素が「結合される」という陳述は、それらの部分が直接的または間接的に、すなわち一つもしくは複数の中間部分もしくは構成要素を通じて、結び合わされるまたは協働することを意味する。リンクが生じさえすればよい。本稿での用法では、「直接結合される」は二つの要素が直接互いと接触することを意味する。本稿での用法では、「固定的に結合される」または「固定される」は二つの構成要素が、互いに対する相対的な配向を一定に維持しつつ、一体として動くよう結合されることを意味する。
【００１１】
本稿での用法では、「一体型（unitary）」の語は、あるコンポーネントが単一片またはユニットとして作成されることを意味する。すなわち、別個に作成され、その後一緒にユニットとして結合された複数の部分を含むコンポーネントは「一体型」コンポーネントまたはボディではない。本稿での用法では、二つ以上の部分または構成要素が互いに「係合する」という陳述は、それらの部分が、直接または一つまたは複数の中間部分もしくは構成要素を通じて、互いに対して力をはたらかせることを意味する。本稿での用法では、「数」という用語は一または一より大きい整数（すなわち複数）を意味する。
【００１２】
これらに限定されないが、例えば、上、下、左、右、上側、下側、前、後ろ、及び、これらの派生語などの、ここで用いられる方向を表す用語は、図面に示された要素の向きに関するものであって、明示のない限り、請求項を限定するものではない。
【００１３】
本発明の一実施例に従った、患者に呼吸療法を供給するように構成されたシステム２が、概略的に、図１に示されている。システム２は、圧力生成装置４と、（本開示において、詳述される）導管アセンブリ６と、導管アセンブリ６に滑らかに結合された曲がり管１０を有する患者インタフェース装置８とを含む。
【００１４】
圧力生成装置４は、呼吸ガスのフローを生成するように構成され、また、ベンチレータ、定圧支持装置（連続的陽性気道圧装置、又は、ＣＰＡＰ装置など）、可変圧力装置（例えば、ペンシルバニア、マリーズヴィルのフィリップスレスピロニクス（登録商標）によって製造及び販売されている、ＢｉＰＡＰ（登録商標）、Ｂｉ−Ｆｌｅｘ（登録商標）、又は、Ｃ−Ｆｌｅｘ（登録商標）装置など）、及び、自動滴定圧支持装置を含んでいてもよいが、これらに限定されない。導管アセンブリ６は、圧力生成装置４から患者インタフェース装置８へ、呼吸ガスのフローを伝達するように構成される。ここで、より詳細に説明されるように、導管アセンブリ６は、図１に概略的に示されるように、圧力生成装置４から患者インタフェース装置８へのフロー経路において、インラインアクセサリ７（これらに限定されないが、酸素富化アダプタ、圧力バルブ、バクテリアフィルタ、又は、呼吸療法装置の患者回路において用いられることができる任意の他の適切なアクセサリ装置など）の包含を許容する加熱管アセンブリである。
【００１５】
図示される実施形態では、患者インタフェース８は、患者の鼻及び口を覆うように構成された鼻／口マスクである。しかしながら、これらに限定されないが、患者の気道への呼吸ガスのフローの伝達、及び、患者の気道からの呼気フローの除去を促進する、患者の鼻を覆う鼻マスク、患者の鼻孔に受けられる鼻カニューレを有する鼻クッション、又は、患者の顔を覆うフルフェイスマスクなどの、任意のタイプの患者インタフェース装置８が、本発明の範囲内にある限り、用いられてもよい。図１の示される実施形態では、患者インタフェース８は、柔軟なクッション１６、剛体又は半剛体シェル１８、及び、額サポート２０を含む。ヘッドギアコンポーネントのストラップ（図示省略）が、患者の頭に患者インタフェース装置８を固定するために、シェル１８及び額サポート２０に取り付けられてもよい。曲がり管１０が結合されたシェル１８における開口は、圧力生成装置４からの呼吸ガスのフローが、シェル１８及びクッション１６によって規定される内部空間、ひいては患者の気道へ伝達されることを可能とする。また、シェル１８における開口は、呼気ガスのフローが、（患者の気道から）曲がり管１０に備えられる排気アセンブリ１２に伝達されることを可能とする。
【００１６】
図１に見られるように、導管アセンブリ６は、インラインアクセサリアダプタ２４の第１の端部に直接的に滑らかに結合された加熱管アセンブリ２２を含む。導管アセンブリ６は、インラインアクセサリ７を更に含む。特に、図１に示されるように、インラインアクセサリ７の第１の端部は、インラインアクセサリアダプタ２４の第２の端部に直接的に滑らかに結合されており、インラインアクセサリ７の第２の端部は、圧力生成装置４の加熱管機能を有する出力ポート２６に直接的に滑らかに結合されている。加えて、以下詳述されるように、インラインアクセサリアダプタ２４は、必要な電気的接続が、加熱管機能を有する出力ポート２６と加熱管アセンブリ２２との間に作られるとともに、同時に、インラインアクセサリ７がフロー経路へ挿入されることを可能とするように構成される。
【００１７】
図２は、一実施例に従った圧力生成装置４の等角図である。図２に見られるように、圧力生成装置４は、圧力生成装置４の主コンポーネント（例えば、フロー生成器（ブロワー）、バルブ、センサ、制御機器など）を収容する主筐体２８を含む。出力ポート２６は、フロー生成器に結合され、主筐体２８の上面側から延びている。出力ポート２６は、図示されている実施形態では、標準的なオス型等円錐フィッティングである管状ポート部材３０と、電気コネクタ３４を収容するポート筐体３２とを含む。電気コネクタ３４は、主筐体２８内に設けられる電源及び／又は他の電子機器（図示省略）に結合されている。ポート筐体３２は、スロット部材３３を更に有し、その目的は、以下において説明される。
【００１８】
図３は、一実施例に従った加熱管アセンブリ２２の等角図である。図３に見られるように、加熱管アセンブリ２２は、近接端部３６、遠心端３８、及び、近接端部３６と遠心端３８との間に設けられた加熱管４０を含む。遠心端３８は、直接的に、又は、中間管を通じて、曲がり管１０に滑らかに結合されるように構成された結合部材４２を備える。加熱管４０は、ヘリカル加熱要素４６によって囲まれた中央管状部材４４を含む。近接端部３６は、図示される実施形態では、標準的なメス型等円すいフィッティングである管状ポート部材５０を含む結合部材４８と、電気コネクタ５４を収容するポート筐体５２とを備える。電気コネクタ５４は、電力及び／又は制御信号を供給するために、加熱管４０の加熱要素４６に動作可能に結合される。また、ポート筐体５２は、上記インラインアクセサリが用いられない場合、スロット部材３３において受けられるように構成されるタブ部材５３を含む。
【００１９】
図４は、一実施例に従ったインラインアクセサリアダプタ２４の等角図である。図４に見られるように、インラインアクセサリアダプタ２４は、滑らかな結合部材５６及びジャンパワイヤハーネスアセンブリ５８を含む。滑らかな結合部材５６は、加熱管アセンブリ２２の近接端部３６とインラインアクセサリ７との間に滑らかな接続を供給するように構成され、ジャンパワイヤハーネスアセンブリ５８は、加熱管アセンブリ２２の加熱要素４６と圧力生成装置４の出力ポート２６との間に電気的な接続を供給するように構成される。
【００２０】
図５は、一実施例に従った滑らかな結合部材５６の等角図である。滑らかな結合部材５６は、筐体部材６２によって囲まれた中央結合部材６０を含む。図６は、一実施例に従った中央結合部材６０の等角図である。図６に見られるように、中央結合部材６０は、図示された実施形態では、標準的なオス型等円すいフィッティングである管状ポート部材６６を有する第１の端部６４と、図示された実施形態では、標準的なメス型等円すいフィッティングである管状ポート部材７０を有する第２の端部６８とを含む。また、中央結合部材６０は、ジャンパワイヤハーネスアセンブリ５８のコネクタ部材を受けるとともに保持するコネクタ筐体７２と、加熱管アセンブリ２２のタブ部材５３を受けるとともに一致するスロット部材６３とを含む。
【００２１】
図７は、一実施例に従ったジャンパワイヤハーネスアセンブリ５８の等角図である。ジャンパワイヤハーネスアセンブリ５８は、複数のワイヤを有するケーブル部材７４と、ケーブル部材７４の第１の端部に設けられる第１の電気コネクタ７６と、ケーブル部材７４の第２の端部に設けられる第２の電気コネクタ７８とを含む。インラインアクセサリアダプタ２４は、第１の電気コネクタ７６が、中央結合部材６０のコネクタ筐体７２内に受けられる態様で、ケーブル部材７４の第１の端部を筐体部材６２の中に挿入することにって組み立てられる。
【００２２】
導管アセンブリ６の個別部品の各々について述べてきたが、一実施例に従った導管アセンブリ６のアセンブリが、説明される。まず、インラインアクセサリアダプタ２４は、加熱管アセンブリ２２の近接端部３６に結合される。より具体的には、インラインアクセサリアダプタ２４の管状ポート部材６６は、加熱管アセンブリ２２の管状ポート部材５０に結合され、タブ部材５３は、スロット部材６３の中に挿入される。加えて、加熱管アセンブリ２２の電気コネクタ５４は、インラインアクセサリアダプタ２４のケーブル部材７４の第１の端部に設けられた第１の電気コネクタ７６に結合される。次に、インラインアクセサリ７の第１の端部は、インラインアクセサリアダプタ２４の管状ポート部材７０に滑らかに結合される。非限定的な実施例では、インラインアクセサリ７は、管状ポート部材７０に結合されるオス型フィッティング９を有する。インラインアクセサリ７の第２の端部は、出力ポート２６の管状ポート部材３０に滑らかに結合される。非限定的な実施例では、インラインアクセサリ７は、管状ポート部材３０に結合されるメス型フィッティング１１を有する。以上より、加熱管アセンブリ２２が、インラインアクセサリアダプタ２４を通じて圧力生成装置４の出力ポート２６に滑らかに結合されることとなる。最後に、インラインアクセサリアダプタ２４のケーブル部材７４の第２の端部に設けられる第２の電気コネクタ７８は、出力ポート２６の電気コネクタ３４に結合される。以上より、加熱管アセンブリ２２の加熱要素４６が、インラインアクセサリアダプタ２４を通じて圧力生成装置４の出力ポート２６に（ひいては、圧力生成装置４の電源に）電気的に結合されることとなる。
【００２３】
従って、上記のインラインアクセサリアダプタ２４は、所要の電気的接続を、加熱管機能を有する出力ポート２６と加熱管アセンブリ２２との間に作ることを可能とするとともに、同時に、インラインアクセサリ７が、ユーザへのフロー経路に挿入されるような、容易に使用できる機構を供給する。
【００２４】
図８は、本発明の代替的な一実施例に従った富化アダプタ８０の等角図である。富化アダプタ８０は、出力ポート２６から加熱管アセンブリ２２への電気的接続を同時に可能にするとともに、酸素又は他の追加気体が、患者インタフェース装置８へのフロー経路に加えられることを可能にするため、図１の導管アセンブリ６のインラインアクセサリアダプタ２４及びインラインアクセサリ７に代替できる。
【００２５】
富化アダプタ８０は、筐体部材８４によって囲まれた中央アダプタアセンブリ８２を含む。図９は、一実施例に従った中央アダプタアセンブリ８２の前面側等角図であり、図１０は、一実施例に従った中央アダプタアセンブリ８２の背面側等角図である。図９及び図１０に見られるように、中央アダプタアセンブリ８２は、第１の端部８４と、第２の端部８６と、ワイヤハーネスアセンブリ９８とを含む。第２の端部８６は、構造において、加熱管アセンブリ２２の近接端部３６と類似しており、出力ポート２６のスロット部材３３と一致するように構成された管状ポート部材８８（図示された実施形態では、標準的なメス型等円すいフィッティング）とタブ部材８９とを含む。図９及び図１０に見られるように、また、以下より詳細に説明されるように、第２の端部８６は、第２の端部が、圧力生成装置４の出力ポート２６に、滑らかに、且つ、電気的に結合されることを可能とするために、ワイヤハーネスアセンブリ９８の第１の電気コネクタ１００を保持するように構成される。第１の端部８４は、図示される実施形態では、標準的なオス型等円すいフィッティングである管状ポート部材９４を有する結合部材９２と、酸素などの追加的な気体が患者インタフェース装置８のフロー経路へ導入されるように、結合部材９２によって規定される内部チャンバへのアクセスを与える気体注入ポート９６と、ワイヤハーネスアセンブリ９８の第２のコネクタ部材１０４を受けるとともに保持するためのコネクタ筐体１０２と、加熱管アセンブリのタブ部材５３と一致するように構成されるスロット部材１０３とを含む。このため、第１の端部８４は、加熱管アセンブリ２２の近接端部３６に滑らかに且つ電気的に結合されるように構成される。図示される実施例における第２の端部８６は、圧力生成装置４が動作していない場合に圧力生成装置４の中へ追加的な気体が逆流するのを防止するように構成された逆流防止圧力バルブ１０６を更に含む。
【００２６】
従って、上記の富化アダプタ８０は、加熱管アセンブリ２２と出力ポート２６との間に挿入され得る装置であって、挿入された場合に、以下の（ｉ）〜（ｉｉｉ）を同時に供給する、即ち、
（ｉ）圧力生成装置４から加熱管アセンブリ２２への主流体経路、
（ｉｉ）追加的な気体が主流体経路の中に挿入されるための第２の経路、
（ｉｉｉ）ハーネスアセンブリ９８形式のジャンパによる出力ポート２６から加熱管アセンブリ２２への電気的な接続。
【００２７】
さらに、図示された実施形態では、インラインアクセサリアダプタ２４及び富化アダプタ８０が加熱管アセンブリ２２とともに用いられることが説明されたが、本発明は、加熱管の使用のみに限定されないことが理解されるであろう。むしろ、インラインアクセサリアダプタ２４及び富化アダプタ８０は、これに限定されないが、患者インタフェース装置からベースユニットに、及び／又は、ベースユニットから患者インタフェース装置に、電気信号を伝達するための１又は複数のワイヤを含む電気管アセンブリなどの、電気的接続が作られる任意のタイプの電気管アセンブリとともに使用されてもよい。
【００２８】
請求項中の括弧内の任意の参照符号は、請求項を限定するものとして解釈されるべきではない。「有する」又は「含む」なる用語は、請求項に挙げられた要素又はステップ以外の要素又はステップの存在を除外しない。幾つかの手段を規定している装置クレームにおいて、これらの手段の幾つかは、全く同一のハードウェアによって実現されてもよい。単数形の要素は、かかる要素が複数存在することを除外しない。幾つかの手段を規定している任意の装置クレームにおいて、これらの手段の幾つかは、全く同一のハードウェア部品によって実現されてもよい。特定の要素が相互に異なる従属項において言及されているという単なる事実は、これらの要素が組み合わせられないということを示すものではない。
【００２９】
現時点で最も実用的且つ好適と考えられる実施態様に基づき例示の目的のために本発明を詳細に記載したが、そのような詳細は専らその目的のためであること、並びに、本発明は開示の実施態様に限定されず、逆に、付属の請求項の精神及び範囲内にある変更及び均等構成を包含することが意図されていることが理解されるべきである。例えば、本発明は、可能な限り、任意の実施態様の１つ又はそれよりも多くの機能を任意の他の実施態様の１つ又はそれよりも多くのの機能と組み合わせ得ることが理解されるべきである。
【図１】
0006378199.tif 000002
【図２】
0006378199.tif 000003
【図３】
0006378199.tif 000004
【図４】
0006378199.tif 000005
【図５】
0006378199.tif 000006
【図６】
0006378199.tif 000007
【図７】
0006378199.tif 000008
【図８】
0006378199.tif 000009
【図９】
0006378199.tif 000010
【図１０】
0006378199.tif 000011